(57)【要約】      （修正有）【課題】指や手を開く方向の運動を行うに適した指運動器具および運動器具を提供する。【解決手段】手の第１の指の指先を挿入する第１の指先挿入部１２ａと、手の第２の指の指先を挿入する第２の指先挿入部１２ｂと、手の第３の指の指先を挿入する第３の指先挿入部１２ｃと、手の第４の指の指先を挿入する第４の指先挿入部１２ｄと、手の第５の指の指先を挿入する第５の指先挿入部１２ｅと、一端が第１の指先挿入部１２ａに接続される第１の弾性体１４ａと、一端が第２の指先挿入部１２ｂに接続される第２の弾性体１４ｂと、一端が第３の指先挿入部１２ｃに接続される第３の弾性体１４ｃと、一端が第４の指先挿入部１２ｄに接続される第４の弾性体１４ｄと、一端が第５の指先挿入部１２ｅに接続される第５の弾性体１４ｅと、第１、第２、第３、第４、第５の弾性体１４ａ〜１４ｅの他端を連結する連結部６を有する指運動器具。【選択図】図１
2011212420.tif 000002
【特許請求の範囲】
【請求項１】
手の第１の指の指先を挿入する第１の指先挿入部と、
手の第２の指の指先を挿入する第２の指先挿入部と、
手の第３の指の指先を挿入する第３の指先挿入部と、
手の第４の指の指先を挿入する第４の指先挿入部と、
手の第５の指の指先を挿入する第５の指先挿入部と、
一端が前記第１の指先挿入部に接続される第１の弾性体と、
一端が前記第２の指先挿入部に接続される第２の弾性体と、
一端が前記第３の指先挿入部に接続される第３の弾性体と、
一端が前記第４の指先挿入部に接続される第４の弾性体と、
一端が前記第５の指先挿入部に接続される第５の弾性体と、
前記第１、第２、第３、第４、第５の弾性体の他端を連結する連結部を有することを特徴とする指運動器具。
【請求項２】
前記第１、第２、第３、第４、第５の弾性体のうち少なくとも１本が異なる長さを有することを特徴とする請求項１記載の指運動器具。
【請求項３】
前記第１、第２、第３、第４、第５の弾性体のうち少なくとも１本が異なる弾性率を有することを特徴とする請求項１または請求項２記載の指運動器具。
【請求項４】
前記連結部が環状の非弾性体の部材であることを特徴とする請求項１ないし請求項３いずれか一項記載の指運動器具。
【請求項５】
前記指先挿入部が環状を呈し、前記弾性体と独立した部材であることを特徴とする請求項１ないし請求項４いずれか一項記載の指運動器具。
【請求項６】
前記連結部が略球状の弾性体であることを特徴とする請求項１記載の指運動器具。
【請求項７】
前記略球状の弾性体が表面に凹凸を有することを特徴とする請求項６記載の指運動器具。
【請求項８】
１対の請求項１ないし請求項４いずれか一項記載の指運動器具の２つの連結部同士が第６の弾性体で連結されることを特徴とする運動器具。
【請求項９】
前記指運動器具と前記第６の弾性体が取り外し可能であることを特徴とする請求項８記載の運動器具。
【請求項１０】
前記第１、第２、第３、第４、第５の弾性体、連結部および第６の弾性体が同一材料で一体に形成されていることを特徴とする請求項８記載の運動器具。
【請求項１１】
一端が前記連結部に連結される手首挿入部を有することを特徴とする請求項１ないし請求項５いずれか一項記載の指運動器具。
【請求項１２】
手首挿入部の少なくとも一部が弾性体であることを特徴とする請求項１１記載の指運動器具。
【発明の詳細な説明】
【技術分野】
【０００１】
本発明は、指運動器具および運動器具に関する。
【背景技術】
【０００２】
指の運動器具は、脳の活性化、リハビリテーション、遊具、スポーツ、弦楽器やピアノ等の音楽奏者の訓練用等、様々な分野において様々な用途で使用される。特許文献１には、指で摘んだり握ったりするボール状訓練器具が開示されている。また、特許文献２には、指回し運動を容易に行う指運動器具が開示されている。
【先行技術文献】
【特許文献】
【０００３】
【特許文献１】特開２００９−１１８９５１号公報
【特許文献２】特開２００６−８７４６８号公報
【発明の概要】
【発明が解決しようとする課題】
【０００４】
もっとも、従来の器具は、指や手を開く方向の運動を行うには適していなかった。
【０００５】
本発明は、上記事情を考慮してなされたものであり、その目的とするところは、指や手を開く方向の運動を行うに適した指運動器具および運動器具を提供することにある。
【課題を解決するための手段】
【０００６】
本発明の一態様の指運動器具は、手の第１の指の指先を挿入する第１の指先挿入部と、手の第２の指の指先を挿入する第２の指先挿入部と、手の第３の指の指先を挿入する第３の指先挿入部と、手の第４の指の指先を挿入する第４の指先挿入部と、手の第５の指の指先を挿入する第５の指先挿入部と、一端が前記第１の指先挿入部に接続される第１の弾性体と、一端が前記第２の指先挿入部に接続される第２の弾性体と、一端が前記第３の指先挿入部に接続される第３の弾性体と、一端が前記第４の指先挿入部に接続される第４の弾性体と、一端が前記第５の指先挿入部に接続される第５の弾性体と、前記第１、第２、第３、第４、第５の弾性体の他端を連結する連結部を有することを特徴とする。
【０００７】
上記態様の指運動器具において、前記第１、第２、第３、第４、第５の弾性体のうち少なくとも１本が異なる長さを有することが望ましい。  
【０００８】
上記態様の指運動器具において、前記第１、第２、第３、第４、第５の弾性体のうち少なくとも１本が異なる弾性率を有することが望ましい。  
【０００９】
上記態様の指運動器具において、前記連結部が環状の非弾性体の部材であることが望ましい。  
【００１０】
上記態様の指運動器具において、前記指先挿入部が環状を呈し、前記弾性体と独立した部材であることが望ましい。  
【００１１】
上記態様の指運動器具において、前記連結部が略球状の弾性体であることが望ましい。  
【００１２】
上記態様の指運動器具において、前記略球状の弾性体が表面に凹凸を有することが望ましい。
【００１３】
本発明の一態様の運動器具は、１対の上記態様の指運動器具の２つの連結部同士が第６の弾性体で連結されることを特徴とする。
【００１４】
上記態様の運動器具において、前記指運動器具と前記第６の弾性体が取り外し可能であることが望ましい。
【００１５】
上記態様の運動器具において、前記第１、第２、第３、第４、第５の弾性体、連結部および第６の弾性体が同一材料で一体に形成されていることが望ましい。
【００１６】
上記態様の指運動器具において、一端が前記連結部に連結される手首挿入部を有することが望ましい。
【００１７】
上記態様の指運動器具において、手首挿入部の少なくとも一部が弾性体であることが望ましい。
【発明の効果】
【００１８】
本発明によれば、指や手を開く方向の運動を行うに適した指運動器具および運動器具を提供することが可能となる。
【図面の簡単な説明】
【００１９】
【図１】第１の実施の形態の指運動器具の模式図である。
【図２】第２の実施の形態の指運動器具の模式図である。
【図３】第３の実施の形態の指運動器具の模式図である。
【図４】第４の実施の形態の指運動器具の模式図である。
【図５】第５の実施の形態の指運動器具の模式図である。
【図６】第６の実施の形態の指運動器具の模式図である。
【図７】第７の実施の形態の指運動器具の模式図である。
【図８】第８の実施の形態の指運動器具の模式図である。
【図９】第８の実施の形態の指運動器具の一例の使用形態を示す写真である。
【発明を実施するための形態】
【００２０】
以下、図面を参照しつつ本発明の実施の形態を詳細に説明する。
【００２１】
なお、本明細書中、弾性体とは、指や手、腕等の力で弾性変形する程度の弾性率を有する物体を意味し、例えばゴムやバネ等である。また、非弾性体とは、指や手、腕等の力では弾性変形しない程度の弾性率を有する物体を意味し、例えば、金属、樹脂、木材等を材料とする物体である。
【００２２】
（第１の実施の形態）
本実施の形態の指運動器具は、手の第１の指の指先を挿入する第１の指先挿入部と、手の第２の指の指先を挿入する第２の指先挿入部と、手の第３の指の指先を挿入する第３の指先挿入部と、手の第４の指の指先を挿入する第４の指先挿入部と、手の第５の指の指先を挿入する第５の指先挿入部と、一端が第１の指先挿入部に接続される第１の弾性体と、一端が第２の指先挿入部に接続される第２の弾性体と、一端が第３の指先挿入部に接続される第３の弾性体と、一端が第４の指先挿入部に接続される第４の弾性体と、一端が第５の指先挿入部に接続される第５の弾性体と、第１、第２、第３、第４、第５の弾性体の他端を連結する連結部を有する。
【００２３】
図１は、本実施の形態の指運動器具の模式図である。図１（ａ）に示すように、本実施の形態の指運動器具１０は、例えば、手の親指を挿入する第１の指先挿入部１２ａと、手の人指し指を挿入する第２の指先挿入部１２ｂと、手の中指を挿入する第３の指先挿入部１２ｃと、手の薬指を挿入する第４の指先挿入部１２ｄと、手の小指を挿入する第５の指先挿入部１２ｅとを備えている。
【００２４】
そして、指運動器具１０は、一端が第１の指先挿入部１２ａに接続される、例えばゴム製の第１の弾性体１４ａと、一端が第２の指先挿入部１２ｂに接続される、例えばゴム製の第２の弾性体１４ｂと、一端が第３の指先挿入部１２ｃに接続される、例えばゴム製の第３の弾性体１４ｃと、一端が第４の指先挿入部１２ｄに接続される、例えばゴム製の第２の弾性体１４ｄと、一端が第５の指先挿入部１２ｅに接続される、例えばゴム製の第５の弾性体１４ｅと、を備えている。
【００２５】
指運動器具１０では、第１〜第５の弾性体１４ａ〜１４ｅと、第１〜第５の指先挿入部１２ａ〜１２ｅとが、それぞれ、一体に形成されることで互いに接続される。すなわち、第１〜第５の指先挿入部１２ａ〜１２ｅは、第１〜第５の弾性体１４ａ〜１４ｅの先端部に設けられる穴として構成される。
【００２６】
また、指運動器具１０は、第１、第２、第３、第４、第５の弾性体１４ａ〜１４ｅの他端を連結する連結部１６を有している。連結部１６は環状の非弾性体の部材、例えば金属、プラスチック、木材等のリングである。このリングに第１、第２、第３、第４、第５の弾性体１４ａ〜１４ｅが接続されることで、第１、第２、第３、第４、第５の弾性体１４ａ〜１４ｅの他端が連結されている。
【００２７】
図１（ｂ）は本実施の形態の指運動器具の作用を説明する図である。まず、右手または左手のすべての指（図示せず）を、第１〜第５の指先挿入部１２ａ〜１２ｅに挿入する。この状態で、指を広げる、または、手を開く動作を行う。そうすると、第１〜第５の弾性体１４ａ〜１４ｅが矢印の方向に伸びる。このことで、各指を連結部１６側に引っ張り戻す力が働くことになる。
【００２８】
指を広げ狭める、または、手を開き閉じる動作を繰り返すことで指の運動を行う。この運動により、例えば、指の筋力が向上する。特に、指を外側に広げる運動に対して筋力を鍛える目的に、この指運動器具１０は好適である。
【００２９】
また、指運動器具１０は子供の玩具や、リハビリテーション用器具としても利用することができる。
【００３０】
親指、人差し指、中指、薬指、小指の長さ、可動域、筋力はそれぞれ異なっている。したがって、弾性体の長さや弾性率がそれぞれの指に対して最適化されることが好ましい。この場合、第１〜第５の弾性体１４ａ〜１４ｅのうち少なくとも１本が異なる長さを有したり、第１〜第５の弾性体１４ａ〜１４ｅのうち少なくとも１本が異なる弾性率を有したりすることになる。場合によっては、第１〜第５の弾性体１４ａ〜１４ｅのすべてが異なる長さおよび太さを有することになる。
【００３１】
また、親指、人差し指、中指、薬指、小指の太さも、通常、それぞれ異なっている。したがって、第１〜第５の指先挿入部１２ａ〜１２ｅの穴のサイズがそれぞれの指に対して最適化されることが好ましい。
【００３２】
（第２の実施の形態）
本実施の形態の指運動器具は、第１〜第５の指先挿入部が環状を呈し、第１〜第５の弾性体と独立した部材である点で、第１の実施の形態の指運動器具と異なっている。以下、第１の実施の形態と重複する内容については記載を省略する。
【００３３】
図２は、本実施の形態の指運動器具の模式図である。図に示すように、本実施の形態の指運動器具２０は、第１〜第５の指先挿入部１２ａ〜１２ｅがそれぞれ、例えばゴム製の環状の部材で形成されている。そして、第１〜第５の弾性体１４ａ〜１４ｅと独立した部材となっている。
【００３４】
このように、第１〜第５の指先挿入部１２ａ〜１２ｅを第１〜第５の弾性体１４ａ〜１４ｅと独立した部材で形成することにより、指運動器具２０の製造において、指先挿入部と弾性体を一体に形成するための金型が不要となる。したがって、本実施の形態によれば
第１の実施の形態よりも安価な製造コストで指運動器具を実現することが可能となる。
【００３５】
さらに、第１〜第５の弾性体１４ａ〜１４ｅを同一の弾性部材の本数や長さを変えてそれぞれ形成することも可能である。例えば、親指用の第１の弾性体１４ａを４本の弾性部材で構成し、小指用の第５の弾性体１４ｅを第１の弾性体１４ａより短い１本の弾性部材で構成する。このような構成により、弾性体自体の金型も不要となるため、一層安価な製造コストで指運動器具を実現することが可能となる。
【００３６】
（第３の実施の形態）
本実施の形態の指運動器具は、指先挿入部、弾性体、および、連結部がすべて一体に形成されている点で、第１の実施の形態の指運動器具と異なっている。以下、第１の実施の形態と重複する内容については記載を省略する。
【００３７】
図３は、本実施の形態の指運動器具の模式図である。図に示すように、本実施の形態の指運動器具３０は、第１〜第５の指先挿入部１２ａ〜１２ｅ、第１〜第５の弾性体１４ａ〜１４ｅ、および、連結部１６がすべて、例えばゴム製の部材で一体に形成されている。
【００３８】
本実施の形態の指運動器具３０は、一つの金型があれば容易に製造が可能となる。したがって、本実施の形態により大量生産に適した指運動器具の実現が可能となる。
【００３９】
（第４の実施の形態）
本実施の形態の指運動器具は、連結部が略球状の弾性体である点で、第３の実施の形態の指運動器具と異なっている。以下、第１ないし第３の実施の形態と重複する内容については記載を省略する。
【００４０】
図４は、本実施の形態の指運動器具の模式図である。図に示すように、本実施の形態の指運動器具４０は、連結部１６が、例えばゴム製の略球状の弾性体である。この略球状の弾性体は、手で握るのに適度なサイズとなっている。第１〜第５の指先挿入部１２ａ〜１２ｅ、第１〜第５の弾性体１４ａ〜１４ｅ、および、連結部１６がすべて、例えばゴム製の部材で一体に形成されている点については第３の実施の形態と同様である。
【００４１】
本実施の形態によれば、指を外側に広げる運動のみならず、略球状の弾性体を握る動作をすることで、指を内側に狭める、または、手を握る方向の運動も行うことが可能となる。このように、両方向の運動を１つの器具で行うことにより、指の両方向の動きに対する筋力の向上が図れる。また、玩具としても両方向の運動に対応することから、より楽しいものとなる。また、リハビリテーション器具としても、より高い効果が期待できるものとなる。
【００４２】
（第５の実施の形態）
本実施の形態の指運動器具は、連結部の略球状の弾性体が表面に凹凸を有する点で、第４の実施の形態の指運動器具と異なっている。以下、第１ないし第４の実施の形態と重複する内容については記載を省略する。
【００４３】
図５は、本実施の形態の指運動器具の模式図である。図に示すように、本実施の形態の指運動器具５０は、連結部１６が、例えばゴム製の略球状の弾性体であり、その表面に凹凸、ここでは、円錐形状の突起１８が設けられている。
【００４４】
このように、連結部１６の表面に凹凸を設けることにより、略球状の弾性体を握った時に手のひらに刺激を与えることができる。したがって、手を握る運動が一層心地よいものとなる。よって、玩具としてもより楽しいものとなり、リハビリテーション器具としてもより高い効果が期待できるものとなる。
【００４５】
なお、凹凸は必ずしも、円錐形状の突起に限られることはなく、半球形状や多角錘形状等その他の形状の突起であっても構わない。また、突起に限らず、表面に窪みを設けることで凹凸を設けても構わない。
【００４６】
（第６の実施の形態）
本実施の形態の運動器具は、指運動器具の２つの連結部同士が弾性体で連結される運動器具である。この運動器具は、指運動器具と腕運動器具とを複合させた運動器具である。以下、指運動器具の部分については第１の実施の形態と同様であるので、重複する内容については記載を省略する。
【００４７】
図６は、本実施の形態の運動器具の模式図である。図に示すように、運動器具６０は、１対の指運動器具１０と、例えば、ゴム製の第６の弾性体６２を有している。第６の弾性体６２と指運動器具１０とは、取り外し可能に構成されている。例えば、第６の弾性体６２の両端にそれぞれ接続される３対の金属製のフック６４で、指運動器具１０の連結部１６である金属製のリングに取り外しできるようになっている。このように３対のフック６４で連結部１６の１個のリングに取り付けることにより、指運動器具１０の運動時のバランスが保たれる。
【００４８】
運動器具６０を使用する際、まず、両端の３対のフック６４で、２つの指運動器具１０と第６の弾性体６２を接続する。２つの指運動器具１０のそれぞれに、右手と左手のすべての指を、第１〜第５の指先挿入部１２ａ〜１２ｅに挿入する。この状態で、左手および右手の指を広げたり狭めたり、または、手を開いたり閉じたりする動作を行うことで両手指の運動を行う。
【００４９】
さらに、左手と右手の間隔を左右に広げたり縮めたりすることにより、第６の弾性体６２を伸び縮みさせる。この運動により両腕の筋力も鍛えられる。
【００５０】
第６の弾性体６２の弾性率は、筋力向上、玩具等目的に応じて適切な大きさに設定すればよい。
【００５１】
本実施の形態によれば、同一の運動器具で、指の運動に加え、腕の運動も行うことができるという利点がある。また、第６の弾性体６２と指運動器具１０とは、取り外し可能に構成されているため、用途に応じて、適切な構成で運動をすることができる。例えば、指の運動を行う場合は、指運動器具１０だけを用いることができる。
【００５２】
なお、第６の弾性体６２と指運動器具１０との取り外し機構に関しては、必ずしもフックに限らず、例えば、第６の弾性体６２を指運動器具１０に結びつける機構でも、ネジ等により固定離脱させる機構であっても構わない。
【００５３】
また、フックのような取り外し機構は３対に限られることはなく、腕の運動時のバランスさえ保たれる構造にすれば、その数は任意である。
【００５４】
（第７の実施の形態）
本実施の形態の運動器具は、第１、第２、第３、第４、第５の弾性体、連結部および第６の弾性体が同一材料で一体に形成されている点で、第６の実施の形態と異なっている。また、指運動器具の部分は第３の実施の形態と同様である。以下、第６の実施の形態および第３の実施の形態と重複する内容については記載を省略する。
【００５５】
図７は、本実施の形態の運動器具の模式図である。図に示すように、運動器具７０は、第１、第２、第３、第４、第５の弾性体１４ａ〜１４ｅ、連結部１６および第６の弾性体６２が、例えば、同一のゴム材料で一体に形成されている。さらに、第１、第２、第３、第４、第５の指先挿入部１２ａ〜１２ｅも一体に形成されている。
【００５６】
本実施の形態の運動器具７０は、一つの金型があれば容易に製造が可能となる。したがって、本実施の形態により、大量生産に適した運動器具の実現が可能となる。また、一体に形成されていることから持ち運びの利便性も向上する。また、分離するパーツ等が存在しないことから、玩具として用いる時の安全性も向上する。
【００５７】
なお、第１、第２、第３、第４、第５の指先挿入部１２ａ〜１２ｅについては一体に形成されるのではなく、例えば、第２の実施の形態のように、第１〜第５の弾性体１４ａ〜１４ｅと独立した部材であっても構わない。
【００５８】
（第８の実施の形態）
本実施の形態の運動器具は、一端が連結部に連結される手首挿入部を有する点で、第１の実施の形態と異なっている。以下、第１の実施の形態と重複する内容については記載を省略する。
【００５９】
図８は、本実施の形態の指運動器具の模式図である。本実施の形態の指運動器具８０は、図１の指運動器具１０の連結部１６にその一端が接続される手首挿入部８２を有している。手首挿入部８２は例えば、ゴム等の弾性体のリングであり、リングの中に手首が通るように構成されている。
【００６０】
図９は、本実施の形態の指運動器具の一例の使用形態を示す写真である。図中白矢印で示す部分が手首挿入部である。
【００６１】
本実施の形態によれば、手首挿入部を設けることによって、指運動器具が指だけでなく、手首でも支持されることになる。したがって、指運動器具の連結部の動きが安定し、より安定した動きで指運動を行うことが可能となる。
【００６２】
指運動器具を支持しつつ、連結部の動きにある程度の余裕を持たせるために、少なくとも手首挿入部の一部が弾性体であることが望ましい。
【００６３】
手首挿入部の形態は必ずしも、図８や図９の形態に限られるものではない。例えば、線状の弾性体の先端にリング状やベルト状の手首を固定する部位が設けられる形態であってもかまわない。
【００６４】
以上、具体例を参照しつつ本発明の実施の形態について説明した。上記、実施の形態はあくまで、例として挙げられているだけであり、本発明を限定するものではない。また、実施の形態の説明においては、指運動器具、運動器具等で、本発明の説明に直接必要としない部分等については記載を省略したが、必要とされる指運動器具、運動器具等に関わる要素を適宜選択して用いることができる。また、各実施の形態の構成要素から一部を除外したり、または、他の実施の形態の構成要素の一部を付加したりしても構わない。
【００６５】
本実施の形態においては、弾性体として、ゴムを例に説明したが、弾性体は例えばバネ等のその他の弾性体であっても構わない。
【００６６】
その他、本発明の要素を具備し、当業者が適宜設計変更しうる全ての指運動器具、運動器具が、本発明の範囲に包含される。本発明の範囲は、特許請求の範囲およびその均等物の範囲によって定義されるものである。
【符号の説明】
【００６７】
１０      指運動器具
１２ａ    第１の指先挿入部
１２ｂ    第２の指先挿入部
１２ｃ    第３の指先挿入部
１２ｄ    第４の指先挿入部
１２ｅ    第５の指先挿入部
１４ａ    第１の弾性体
１４ｂ    第２の弾性体
１４ｃ    第３の弾性体
１４ｄ    第４の弾性体
１４ｅ    第５の弾性体
１６      連結部
１８      突起
２０      指運動器具
３０      指運動器具
４０      指運動器具
５０      指運動器具
６０      運動器具
６２      第６の弾性体
６４      フック
７０      運動器具
【図１】
2011212420.tif 000003
【図２】
2011212420.tif 000004
【図３】
2011212420.tif 000005
【図４】
2011212420.tif 000006
【図５】
2011212420.tif 000007
【図６】
2011212420.tif 000008
【図７】
2011212420.tif 000009
【図８】
2011212420.tif 000010
【図９】
2011212420.tif 000011